(57)【要約】【課題】球面収差の補正が必要な光ディスクが多層化すると、１回のスィープ処理で層数を判別しようとすると、層数が増えるほど精度が劣化する。【解決手段】所定の球面収差補正量に設定してレーザを点灯し、対物レンズをスイープさせ、２層以上、もしくは２層より多くの情報記録面があると判別された場合は、球面収差補正量を３層目以上の情報記録面に適するように変更し、対物レンズを再度スイープさせ、層数を判別する。【選択図】図２
2011248978.tif 000002
【特許請求の範囲】
【請求項１】
レーザ光を用いて、光ディスクから情報を再生する、もしくは、光ディスクに情報を記録する光ディスク装置であって、
レーザ光を集光させる対物レンズと、
前記対物レンズを駆動するアクチュエータと、
光ディスクからの反射光を検出する検出器と、
前記検出器にて検出される反射光からフォーカス誤差信号を生成するフォーカス誤差信号生成手段と、
レーザ光に生じる球面収差を補正する球面収差補正素子と、
前記アクチュエータの制御を行うためのフォーカス駆動信号と前期球面収差補正素子の制御を行うための球面収差補正素子駆動信号の生成および出力を行う制御手段と、
前記フォーカス駆動信号を増幅させ、アクチュエータに電力を供給するアクチュエータ駆動手段と、
前記球面収差補正素子駆動信号を受け、球面収差補正素子の球面収差補正量を変える球面収差補正素子駆動手段、
を有し、
前記制御手段は、情報記録面を所定層数以上有する光ディスクの判別を行う場合、所定のレーザ波長において、前記対物レンズをフォーカス方向に動かすスィープ処理を、球面収差補正素子の補正量を変えて、複数回行うことを特徴とする、
光ディスク装置。
【請求項２】
請求項１に記載の光ディスク装置であって、
前記スィープ処理を、球面収差補正素子の補正量を変えると共に、レーザ光のパワーを変えて、複数回行うことを特徴とする、
光ディスク装置。
【請求項３】
請求項１に記載の光ディスク装置であって、
前記所定のレーザ波長において、１回目のスィープ処理で光ディスクの情報記録面が２層以上であると判別された場合、前記所定のレーザ波長で、球面収差補正素子の補正量を変えて２回目のスィープ処理を行うことを特徴とする、
光ディスク装置。
【請求項４】
請求項１に記載の光ディスク装置であって、
前記所定のレーザ波長において、１回目のスィープ処理で光ディスクの情報記録面が３層以上であると判別された場合、前記所定のレーザ波長で、球面収差補正素子の補正量を変えて２回目のスィープ処理を行うことを特徴とする、
光ディスク装置。
【請求項５】
請求項２に記載の光ディスクで装置であって、
１回目のスィープ処理でのレーザ光のパワーに対し、２回目のスィープ処理でのレーザ光のパワーの方が強いことを特徴とする、
光ディスク装置。
【請求項６】
請求項１に記載の光ディスク装置であって、
レーザ光のパワーは、判別する光ディスクの中で最適なレーザ光のパワーが最も小さい情報記録面に合わせて設定することを特徴とする、
光ディスク装置。
【請求項７】
レーザ光を用いて、光ディスクから情報を再生する、もしくは、光ディスクに情報を記録する光ディスク装置における光ディスク判別方法であって、
レーザ光を集光させる対物レンズと、
前記対物レンズを駆動するアクチュエータと、
光ディスクからの反射光を検出する検出器と、
前記検出器にて検出される反射光からフォーカス誤差信号を生成するフォーカス誤差信号生成手段と、
レーザ光に生じる球面収差を補正する球面収差補正素子と、
前記アクチュエータの制御を行うためのフォーカス駆動信号と前期球面収差補正素子の制御を行うための球面収差補正素子駆動信号の生成および出力を行う制御手段と、
前記フォーカス駆動信号を増幅させ、アクチュエータに電力を供給するアクチュエータ駆動手段と、
前記球面収差補正素子駆動信号を受け、球面収差補正素子の補正量を変える球面収差補正素子駆動手段、
を用い、
前記制御手段は、情報記録面を所定層数以上有する光ディスクの判別を行う場合、所定のレーザ波長において、前記対物レンズをフォーカス方向に動かすスィープ処理を、球面収差補正素子の補正量を変えて、複数回行うことを特徴とする、
光ディスク判別方法。
【請求項８】
請求項７に記載の光ディスク判別方法であって、
前記スィープ処理を、球面収差補正素子の補正量を変えると共に、レーザ光のパワーを変えて、複数回行うことを特徴とする、
光ディスク判別方法。
【請求項９】
請求項７に記載の光ディスク判別方法であって、
前記所定のレーザ波長において、１回目のスィープ処理で光ディスクの情報記録面が２層以上であると判別された場合、前記所定のレーザ波長で、球面収差補正素子の補正量を変えて２回目のスィープ処理を行うことを特徴とする、
光ディスク判別方法。
【請求項１０】
請求項７に記載の光ディスク判別方法であって、
前記所定のレーザ波長において、１回目のスィープ処理で光ディスクの情報記録面が３層以上であると判別された場合、前記所定のレーザ波長で、球面収差補正素子の補正量を変えて２回目のスィープ処理を行うことを特徴とする、
光ディスク判別方法。
【発明の詳細な説明】
【技術分野】
【０００１】
本発明は、光ディスク装置における光ディスクの判別方法に関する。
【背景技術】
【０００２】
光ディスクには、ＢＤ（Ｂｌｕ−ｒａｙ  Ｄｉｓｃ）、ＤＶＤ、ＣＤなど、様々な媒体がある。光ディスク装置は、複数の媒体に対応するものが多く、挿入されたディスクが何であるかを判別する必要がある。ＢＤでは、球面収差の影響が大きく、球面収差補正素子により、球面収差を所定のレベルまで補正しなければ、判別が困難である。特許文献１では、衝突防止のために、開口数の低い媒体から判別を行う方法を示しており、この際、球面収差を共に補正することについて述べられている。特許文献２では、球面収差の補正量を変えて２回以上対物レンズを駆動させるスィープ処理を行うことで、媒体の情報記録面の層数を判別する方法を示している。
【先行技術文献】
【特許文献】
【０００３】
【特許文献１】特開２００４−３１１００４号公報
【特許文献２】特開２００６−３４４２６８号公報
【発明の概要】
【発明が解決しようとする課題】
【０００４】
ＢＤを判別する際、球面収差をある程度補正しなければ、判別が困難である。また、媒体判別では、種類を判別するだけでなく、当該光ディスクの情報記録面の数も判別する必要がある。このとき、２層の光ディスクであれば、例えば２つの層の中間に相当する球面収差補正量で層数も含めて判別できるが、２層より多くの層を持つ光ディスクに対しては、２つの層の中間に相当する球面収差補正量でのみ判別を行うと、精度が劣化する。また、球面収差補正の状態を変えて、複数回スィープ処理を行う場合、層数判別の精度は上がるが判別のための時間が伸び、効率が劣化するという問題がある。
【課題を解決するための手段】
【０００５】
光ディスクが１層および２層については、高確率で判別できるような球面収差補正量にまず設定しておき、その状態でレーザをオンにし、対物レンズをスイープさせ、判別する。２層以上、もしくは２層より多くの情報記録面があると判別された場合は、球面収差補正量を３層目以上の情報記録面に適するように変更し、対物レンズをスイープさせ、層数を判別する。
【発明の効果】
【０００６】
本発明によると、球面収差の補正が必要な光ディスクの情報記録面の数が増加しても、高精度で且つ効率的に、その層数を判別することが可能となる。
【図面の簡単な説明】
【０００７】
【図１】本発明の光ディスク装置の構成を示すブロック図である。
【図２】スイープ処理における信号波形を示す図である。
【図３】スイープ処理における信号波形を示す図である。
【図４】情報記録面の層数の異なる光ディスクの断面概略図を示す図である。
【図５】４層ディスクに対するスィープ処理における信号波形を示す図である。
【図６】１層ディスクに対するスィープ処理における信号波形を示す図である。
【図７】４層ディスクに対するスィープ処理における信号波形を示す図である。
【図８】３層ディスクに対するスィープ処理と信号波形
【図９】本発明の実施例１における層数確認処理のフローチャートを示す図である。
【図１０】４層ディスクに対するスィープ処理における信号波形を示す図である。
【図１１】２層ディスクに対するスィープ処理における信号波形を示す図である。
【図１２】４層ディスクに対するスィープ処理における信号波形を示す図である。
【図１３】３層ディスクに対するスィープ処理における信号波形を示す図である。
【図１４】本発明の実施例２における層数確認処理フローチャートを示す図である。
【図１５】本発明の実施例３における層数確認処理のフローチャートを示す図である。
【図１６】本発明の実施例４における層数確認処理フローチャートを示す図である。
【発明を実施するための形態】
【０００８】
以下、図面を用いて具体的な実施例について説明する。
【実施例１】
【０００９】
図１は本実施例による光ディスク装置の構成を示すブロック図である。光ディスク１００は、光ピックアップ１１０からのレーザ光の照射により情報の読み取り、消去、書き込みが行われるとともに、システム制御手段１２０からのスピンドルモータ駆動信号を受けたスピンドルモータ駆動手段１２１で駆動するスピンドルモータ１０１によって回転される。レーザ光源１１１から発光されたレーザ光は、偏光ビームスプリッタ１１６を透過し、球面収差補正素子１１５、ミラー１１７を介して対物レンズ１１３に入射し、光ディスク１００の情報記録面に光スポットとして集光される。
【００１０】
光ディスク１００の情報記録面で反射したレーザ光は対物レンズ１１３、ミラー１１７、球面収差補正素子１１５を介して偏光ビームスプリッタ１１６で反射し、光検出器１１４に入射する。アクチュエータ１１２によって動かされる対物レンズ１１３で光ディスク１００の情報記録面に光スポットとして集光され、光ディスク１００の情報記録面で反射し、光検出器１１４で検出される。光検出器１１４で検出された信号から信号生成手段１２２でフォーカス誤差信号(ＦＥＳ)やトラッキング誤差信号、総和信号（ＰＥＳ）などが生成される。ＦＥＳは公知の非点収差法やナイフエッジ法などによって生成されるフォーカス誤差信号であり、ＰＥＳは反射光の和信号にローパスフィルタを通し、高周波成分を抑制した信号である。
【００１１】
レーザ光には、球面収差補正素子１１５で、光ディスク１００の情報記録面上での球面収差を補正させるために、球面収差を与える。球面収差補正素子１１５は、レンズ間距離が可変の２枚のレンズの組み合わせからなり、このレンズ間距離を変化させることにより、透過光束の球面収差を調整可能なビームエキスパンダである。但し、本発明における球面収差補正素子は、これに限るものではなく、例えば、同心円状パターンを有し、光束の内周部と外周部との間に位相差を与えることにより、球面収差を補正可能な液晶素子であってもよい。また、図示しないが、光ピックアップ１１０には他にも球面収差以外の収差補正や偏光を行うための素子が搭載されていてもよい。
【００１２】
システム制御手段１２０に入力される信号で、フォーカス誤差信号は、光スポットと情報記録面との誤差量を示す信号として読み取られ、トラッキング誤差信号は、光ディスク情報記録面上に螺旋状に連なるピットや溝で形成されたトラックと光スポットとの半径方向の誤差量を示す信号として読み取られる。アクチュエータ１１２は、システム制御手段１２０からの出力される、フォーカス方向へアクチュエータを動かすためのフォーカス駆動信号（ＦＤＳ）と、半径方向へアクチュエータを動かすためのトラッキング駆動信号を受けたアクチュエータ駆動手段１２３によって駆動され、対物レンズ１１３を、光ディスク１００のフォーカス方向および半径方向に動かす。アクチュエータ１１２は、コマ収差を補正するために、チルト方向にも動くものであってもよい。球面収差補正素子１１５はシステム制御手段１２０から出力される信号を受ける球面収差補正素子駆動手段１２４によって駆動される。レーザ光源１１１は制御手段１２０から出力される信号を受けるレーザ駆動手段１２５によって制御される。
【００１３】
図２は、対物レンズ１１３をフォーカス方向に動かすスィープ処理で、光ディスク１００へ近付ける方向へ動かすアップスィープ処理によって、光スポットを光ディスク１００の表面に近い側から順番に情報記録麺を通過させた場合のＦＥＳとＰＥＳの信号波形の様子を表す。光ディスク１００は、情報記録面が４つあり、表面に近い方から、情報記録面Ａ、情報記録面Ｂ、情報記録面Ｃ、情報記録面Ｄとする。このとき、球面収差補正素子１１５は、情報記録面Ａで最適となるように球面収差を補正するような設定であるとする。
【００１４】
図２に示すように、情報記録面Ａから遠いほど球面収差の影響によって、ＦＥＳやＰＥＳの信号振幅が劣化する。一方、図３は、球面収差補正素子１１５が情報記録面Ｄで最適となるように球面収差を補正するような設定とした場合に、スィープ処理をさせたときの波形図である。この場合は、図２とは異なり、情報記録面Ｄに対して表面側の情報記録面ほど球面収差の影響によって、ＦＥＳやＰＥＳの信号振幅が劣化する。
【００１５】
光ディスク１００と同じタイプの媒体が４層以外に、１層、２層、３層などがある場合、どの光ディスクが挿入されたかを情報記録面の層数はＦＥＳやＰＥＳなどの振幅を検出して判別する。このとき、球面収差補正素子の設定がずれていると、正しく層数を判別できない可能性がある。例えば、ＢＤでは、記録および再生を行う際、球面収差補正素子が必須であるが、ＢＤには１層ディスクと２層ディスクがあり、１層と２層を判別するには所定の球面収差補正素子の設定にしておくことで判別できる。しかし、これが３層、４層と層数が増えたとき、上記の球面収差補正素子の設定で層数の判別をしようとすると精度が劣化する可能性がある。
【００１６】
図４に、同じレーザ波長でデータを記録または再生されるが、情報記録面の層数が異なる４タイプの光ディスクを示す。図４に示す光ディスクは全て、レーザの照射される側の表面から最も遠い情報記録面が表面からほぼ同じ距離であるとする。光ディスク１００は、図４に示す１層ディスク、２層ディスク、３層ディスク、４層ディスクのどれかであるとし、光ディスク装置がその中のどれであるかを判別する方法を以下に示す。
【００１７】
図５に球面収差の補正量を、４層ディスクの情報記録面０と情報記録面１の間となるように球面収差補正素子を設定した場合に、４層ディスクに対して、レーザを照射させた状態で対物レンズ１１３をスィープさせたときの波形図を示す。本実施例では、ＦＥＳやＰＥＳが所定の判定スレッショルドをよぎった数の情報記録面があると判定するとする。図５では、判定スレッショルドを２つよぎっているので、少なくとも情報記録面が２層はあると判別する。
【００１８】
図６に球面収差の補正量を、図５の場合と同じにし、光ディスク１００が１層ディスクであった場合に、対物レンズ１１３をスィープさせたときの波形図を示す。この場合、判定スレッショルドは１つしかよぎりを検出しない。そのため、情報記録面０のみの１層ディスクであると判別する。
【００１９】
図７に球面収差の補正量を、４層ディスクの情報記録面２と情報記録面３の間となるように球面収差補正素子を設定した場合に、レーザを照射させた状態で対物レンズ１１３をスィープさせたときの波形図を示す。この場合、情報記録面２と情報記録面３の２つで判定スレッショルドをよぎっている。図５で２層はあると判別した後、図７の動作を実施することで、光ディスク１００は４層ディスクであると判別する。
【００２０】
図８に球面収差の補正量を、図５の場合と同じにし、光ディスク１００が３層ディスクであった場合に、対物レンズ１１３をスィープさせたときの波形図を示す。この場合、図５と同じく、判定スレッショルドで２度よぎりを検出する。そのため、少なくとも情報記録面が２層はあると判別する。図示はしないが、この後、図７と同じ球面収差の補正量で、対物レンズ１１３をスィープさせたとき、判定スレッショルドを１つだけよぎることになり、光ディスク１００が３層ディスクであると判別する。
【００２１】
また、光ディスク１００が２層であった場合、球面収差補正量が図８と同じ設定で、対物レンズ１１３をスィープさせたとき、３層ディスクと同じように、ＦＥＳやＰＥＳは判定スレッショルドを２回よぎる。この後、図７と同じ球面収差の補正量にしたときには、判定スレッショルドをよぎらないため、２層ディスクであると判別できる。
【００２２】
本実施例の動作について、フローチャートに表したものを図９に示す。まず球面収差補正素子を第１の補正量に設定する（ステップ９−１）。対物レンズ１１３をスィープさせ、情報記録面の層数を確認する（ステップ９−２）。情報記録面の数が２層以上と判別されたかどうかを判定する（ステップ９−３）。
【００２３】
ステップ９−３で、２層以上と判別された場合は、球面収差補正素子１１５を第２の球面収差補正量に設定する（ステップ９−４）。対物レンズ１１３をスイープさせ、情報記録面の層数を確認する（ステップ９−５）。ステップ９−５で判別された層数とステップ９−２で判別された層数の和を光ディスク１００の層数であると判別する（ステップ９−６）。ステップ９−３で、１層ディスクと判別された場合は、光ディスク１００が１層ディスクであると判別する（ステップ９−６）。
【００２４】
本実施例のように判別処理を行う方法によれば、例えば、所定のレーザ波長において、１回目のスィープ処理で光ディスクの情報記録面が２層以上であると判別された場合、当該所定のレーザ波長で、球面収差補正素子の補正量を変えて２回目のスィープ処理を行うことにより、１層ディスクについては、球面収差補正素子の設定及びスイ−プ処理が１回だけでよく、短時間で判別が可能となり、一方で複数層のディスクに対しては精度の良い判別を行なうことができる。すなわち、本実施例によれば、多層を含む光ディスクの判別を精度良く、且つ効率的に行なうことができるという効果がある。
【００２５】
本実施例では、第１の球面収差補正量で判別できる情報記録面の数を１つもしくは２つ以上としたが、光ディスク１００の情報記録面の層間距離の規格値や光学ピックアップ１１０の特性によっては、第１の球面収差補正量で判定スレッショルドを３つ以上よぎるように設定してもよい。この場合、判定スレッショルドをよぎる最大の層数より１つ少ない数までは第１の球面収差補正量で判別することができる。
【００２６】
図５から図８の判定スレッショルドはそれぞれの値が同じであってもよいし、光ディスク１００の情報記録面の層間距離の規格値や光学ピックアップ１１０の特性に合わせて異なってもよい。
【００２７】
本実施例では、図４で示したように光ディスク１００は表面から最も離れた情報記録面の距離がどの光ディスクもほぼ同じであるとしたが、最も離れた情報記録面の距離が異なっても同様の方法で判別可能である。
【００２８】
本実施例では、第１の球面収差補正量と第２の球面収差補正量の２つの場合を示したが、第３の球面収差補正量など、光ディスク装置が対応する光ディスクの最大層数に応じて、さらに球面収差補正量の設定数を増やしてもよい。
【００２９】
また、本判別処理を、最初の簡易的な判別処理とし、例えば、光ディスク１００がＢＤであった場合、光ディスクの製造業者または作成者によってレーザカッティングされたＢＣＡ（Ｂｕｒｓｔ  Ｃｕｔｔｉｎｇ  Ａｒｅａ）と呼ばれる領域や、ＰＩＣ（不変情報＆制御データ: Ｐｅｒｍａｎｅｎｔ  Ｉｎｆｏｒｍａｔｉｏｎ  ＆  Ｃｏｎｔｒｏｌ  ｄａｔａ）領域、または記録トラックのウォブル形状内に記録層数が記録されている場合は、その情報を再生することで最終的に記録層数を確定してもよい。
【実施例２】
【００３０】
本実施例における光ディスク装置は実施例１と同じく、図１に示す構成とする。また、光ディスク１００は、所定のレーザ波長で記録および再生が可能な図４に示す１層ディスク、２層ディスク、３層ディスク、４層ディスクのどれかであるとし、光ディスク装置が挿入された光ディスク１００がその中のどれであるかを判別する方法を以下に示す。
【００３１】
図１０に球面収差の補正量を、４層ディスクの情報記録面０と情報記録面１の間となるように球面収差補正素子を設定した場合に、４層ディスクに対して、レーザを照射させた状態で対物レンズ１１３をスィープさせたときの波形図を示す。本実施例では、少なくとも、ＦＥＳが所定の判定スレッショルドＡおよびＰＥＳが所定の判定スレッショルドＣをよぎった数の情報記録面を光ディスク１００が持つと判別するとする。図１０では、ＦＥＳが判定スレッショルドＡを２つ、ＰＥＳが判定スレッショルドＣを２つよぎっているので、少なくとも情報記録面が２層はあると判別する。ここで、さらにスレッショルドＡおよびスレッショルドＣをよぎる以外のところで、ＦＥＳが所定の判定スレッショルドＢおよびＰＥＳが所定の判定スレッショルドＤをよぎるっている。このとき、光ディスク１００が３層以上であると判別する。
【００３２】
図１１に球面収差の補正量を、図１０の場合と同じにし、光ディスク１００が２層ディスクであった場合に、対物レンズ１１３をスィープさせたときの波形図を示す。この場合、ＦＥＳが所定の判定スレッショルドＡおよびＰＥＳが所定の判定スレッショルドＣをよぎる数として２度検し、光ディスク１００は２層以上であると判別する。一方、スレッショルドＡおよびスレッショルドＣをよぎる以外のところで、ＦＥＳが所定の判定スレッショルドＢおよびＰＥＳが所定の判定スレッショルドＤをよぎるということを検出していない。そのため、光ディスク１００は２層ディスクであると判別する。
【００３３】
図１２に球面収差の補正量を、４層ディスクの情報記録面２と情報記録面３の間となるように球面収差補正素子を設定した場合に、レーザを照射させた状態で対物レンズ１１３をスィープさせたときの波形図を示す。この場合、情報記録面２と情報記録面３の２つで、ＦＥＳが所定の判定スレッショルドＡおよびＰＥＳが所定の判定スレッショルドＣをよぎっている。図１０で３層以上であると判別した後、図１２の動作を実施することで、光ディスク１００は４層ディスクであると判別する。
【００３４】
図１３に球面収差の補正量を、図１０の場合と同じにし、光ディスク１００が３層ディスクであった場合に、対物レンズ１１３をスィープさせたときの波形図を示す。この場合、図１０と同じく、判定スレッショルドＡおよび判定スレッショルドＣで２度よぎりを検出する。また、さらにスレッショルドＡおよびスレッショルドＣをよぎる以外のところで、ＦＥＳが所定の判定スレッショルドＢおよびＰＥＳが所定の判定スレッショルドＤをよぎるっていることを検出する。そのため、少なくとも情報記録面が３層以上であると判別する。図示はしないが、この後、図１２と同じ球面収差の補正量で、対物レンズ１１３をスィープさせたとき、スレッショルドＡおよびスレッショルドＣを１つだけよぎることになり、光ディスク１００が３層ディスクであると判別する。
【００３５】
本実施例の動作について、フローチャートに表したものを図１４に示す。まず、球面収差補正素子を第１の補正量に設定する（ステップ１４−１）。対物レンズ１１３をスィープさせ、情報記録面の層数を確認する（ステップ１４−２）。判定スレッショルドＡおよび判定スレッショルドＣより、情報記録面の数が２層以上であるかどうかを判定する（ステップ１４−３）。ステップ１４−３で、２層以上と判別された場合、スレッショルドＢおよびスレッショルドＤで、３層以上であるかどうかを判別する（ステップ１４−４）。
【００３６】
ステップ１４−４で、３層以上であると判別された場合、球面収差補正素子１１５を第２球面収差補正量に設定する（ステップ１４−５）。対物レンズ１１３をスイープさせ、判定スレッショルドＡおよび判定スレッショルドＣより、情報記録面の層数を確認する（ステップ１４−６）。ステップ１４−３とステップ１４−６で判別された層数の和を光ディスク１００の層数であると判別する（ステップ１４−７）。
【００３７】
ステップ１４−４で３層以上でないと判別された場合、光ディスク１００は２層ディスクであると判別する（ステップ１４−７）。ステップ１４−３で、１層ディスクと判別された場合は、光ディスク１００が１層ディスクであると判別する（ステップ１４−７）。
【００３８】
本実施例によれば、例えば、所定のレーザ波長において、１回目のスィープ処理で光ディスクの情報記録面が３層以上であると判別された場合、当該所定のレーザ波長で、球面収差補正素子の補正量を変えて２回目のスィープ処理を行うことにより、１層ディスクと２層ディスクを第１の球面収差補正状態だけで判別できる。これより、例えば、ＢＤやＤＶＤなど１層と２層の光ディスクが規格化されている光ディスクに新たに３層以上の光ディスクが規格化された場合、現状市販されている２層までは短時間で迅速な判別が可能となる。
【００３９】
本実施例では、ＦＥＳおよびＰＥＳが所定の判定スレッショルドをよぎっている数を判別される層数とする場合について述べたが、ＦＥＳ、ＰＥＳのどちらかが所定の判定スレッショルドをよぎった数を情報記録面の層数であるとする方法でも構わない。
【００４０】
図１０から図１３の判定スレッショルドＡ、Ｂ、Ｃ、Ｄはそれぞれの値が同じであっても異なってもよい。
【実施例３】
【００４１】
本実施例における光ディスク装置は実施例１と同じく、図１に示す構成とする。光ディスク１００の情報記録面の層数がいくつであるかを判別する方法について述べる。実施例１や実施例２で述べてきたように、球面収差補正素子の補正量により、判別できる層が異なる。光ディスク１００は、レーザ光源１１１のレーザ光により記録および再生が行われる。このとき、光ディスクの層数が異なると、記録および再生に最適なレーザパワーが異なる場合が多い。また層数だけでなく、１回記録、複数回記録、の媒体種別で異なる場合もある。複数の情報記録面を持つ光ディスクでは、情報記録面ごとに最適なレーザパワーが異なる場合がある可能性がある。
【００４２】
光ディスク１００を図２に示すような４層の光ディスクとする。球面収差補正素子１１５をＳの設定にし、かつ、レーザパワーをＸの設定としてスィープ処理を行い、ＦＥＳとＰＥＳの信号を検出し、次に球面収差補正素子１１５をＴの設定にし、かつレーザパワーをＹの設定としてスィープ処理を行い、ＦＥＳとＰＥＳの信号を検出するということを行う。球面収差補正素子がＳで、かつ、レーザパワーがＸの設定とは、少なくとも情報記録面Ａおよび情報記録面ＢのＦＥＳとＰＥＳの信号振幅が検出できるものであり、球面収差補正素子がＴの設定で、かつ、レーザパワーがＹの設定とは、少なくとも情報記録面Ｃおよび情報記録面ＤのＦＥＳとＰＥＳの信号振幅が検出できるものである。
【００４３】
この層数確認処理の動作について、フローチャートで表したものを図１５に示す。まず、球面収差補正素子１１５を球面収差補正量Ｓに設定する（ステップ１５−１）。また、レーザパワーをＸに設定する（ステップ１５−２）。対物レンズ１１３をスィープさせ、情報記録面の層数を確認する（ステップ１５−３）。次に、球面収差補正素子１１５をＴ球面収差補正量に設定する（ステップ１５−４）。レーザパワーをＹに設定する（ステップ１５−５）。対物レンズ１１３をスイープさせ、情報記録面の層数を確認する（ステップ１５−６）。以上で、情報記録面の層数確認を終了する。ステップ１５−３およびステップ１５−６のスイープ処理は、対物レンズを上方向に動かすアップスィープでも下方向に動かすダウンスィープのどちらでもよい。また、ステップ１５−３をアップスィープで行い、所定量スィープさせた後、その状態を保持し、ステップ１５−４およびステップ１５−５で球面収差補正素子１１５およびレーザパワーの設定を変え、ステップ１５−６をダウンスィープで行う方法もある。またはその逆に、ステップ１５−３をダウンスィープで行い、所定量スィープさせた後、その状態を保持し、ステップ１５−４およびステップ１５−５で球面収差補正素子１１５およびレーザパワーの設定を変え、ステップ１５−６をアップスィープで行う方法でもよい。ちなみに、層数の判別後、それぞれの情報記録面において情報を記録または再生する場合、球面収差補正量はそれぞれの情報記録面に適した設定とする。レーザパワーについても同様に、フォーカス引き込みを行う情報記録面に適した設定とする。このとき、層数判別後、球面収差補正素子を駆動して、より最適な球面収差補正量を求める動作を行ってもよい。レーザパワーについても同様である。さらには、実施例４において詳細に説明をするが、例えば１回目のスィープ処理でのレーザ光のパワーＸに対し、２回目のスィープ処理でのレーザ光のパワーＹを強くすることにより、情報記録面の記録状態への影響を低減することができる。
【００４４】
本実施例は２回のスィープ処理での判別方法を記したが、光ディスク装置が対応する光ディスクの最大層数に応じて、さらに設定およびスィープ処理を行う回数を増やしてもよい。
【００４５】
本実施例の方法によれば、例えば、情報記録面を所定層数以上有する光ディスクの判別を行う場合、所定のレーザ波長において、前記対物レンズをフォーカス方向に動かすスィープ処理を、球面収差補正素子の補正量を変えると共に、レーザ光のパワーを変えて、複数回行うことにより、情報記録面のからの反射光量がより最適に近づき、精度よく情報記録面の層数を判別できる。
【実施例４】
【００４６】
本実施例における光ディスク装置は実施例１と同じく、図１に示す構成とする。
また、実施例１で示した図９のフローチャートのように、２層以上の場合、球面収差補正素子の補正量を変え、２回スィープ処理を行うことで、情報記録面の層数を判別する方法について考える。実施例３で述べたように、光ディスクは情報記録面の層数が異なると、記録再生に適したレーザパワーが異なる。そのため、２層以上と判別された場合、２回目のスィープ処理では、１回目のスィープ処理とレーザパワーを変えて行うと、より精度よく媒体を判別することができる。
【００４７】
本実施例の動作について、フローチャートに表したものを図１６に示す。まず、球面収差補正素子を第１の補正量に設定する（ステップ１６−１）。レーザ光源１１１をレーザ駆動手段１２５により、レーザパワーＰでレーザ光を出力する（ステップ１６−２）。対物レンズ１１３をスィープさせ、情報記録面の層数を確認する（ステップ１６−３）。情報記録面の数が２層以上と判別されたかどうかを判定する（ステップ１６−４）。ステップ１６−４で、２層以上と判別された球面収差補正素子１１５を第２の球面収差補正量に設定する（ステップ１６−５）。レーザ光源１１１をレーザ駆動手段１２５により、レーザパワーＱでレーザ光を出力する（ステップ１６−６）。対物レンズ１１３をスイープさせ、情報記録面の層数を確認する（ステップ１６−７）。ステップ１６−７で判別された層数とステップ１６−３で判別された層数の和を光ディスク１００の層数であると判別する（ステップ１６−８）。ステップ１６−４で、１層ディスクと判別された場合は、光ディスク１００が１層ディスクであると判別する（ステップ１６−８）。
【００４８】
レーザ駆動手段１２５によって駆動されるレーザ光源より出力されるレーザ光の出力パワーについて述べる。最適なレーザパワーは層数によって異なる。その場合、最適なレーザパワーが最も低い光ディスクに合わせたレーザパワーで判別処理を行うことが望ましい。これにより、記録可能な光ディスクの場合、判別処理中に情報記録面の記録膜が反応して記録状態が変わることを、防ぐことができる。また、複数層の光ディスクでは、情報記録面で最適なレーザパワーが異なる可能性がある。例えば、４層ディスクでは、情報記録面２と情報記録面３で最適なレーザパワーが異なるかもしれない。この場合、それらのレーザパワーも含めて、最適なレーザパワーが最も低い情報記録面に合わせてレーザパワーを設定することが望ましい。
【００４９】
一般的に層数が増えると、情報記録面の反射率が低くなる傾向にあるため、その場合、レーザパワーＰに対し、レーザパワーＱの方が強いことが望ましい。また、レーザパワーＱにおいては、２層、３層、４層で最適レーザパワーが異なる可能性があり、この場合、最適なレーザパワーが最も低い情報記録面に合わせてレーザパワーを設定する。つまり、レーザパワーＰは最適なレーザパワーの最も低い１層ディスクに合わせ、レーザパワーＱは２層、３層、４層の中で、最適なレーザパワーが最も低い情報記録面に合わせる。これにより、精度の向上が図られるだけでなく、情報記録面の記録状態への影響を低減できる。それは、もし強いレーザパワーで情報記録面を通過した場合、通過部分の記録状態が反応して変わってしまう可能性があるからである。すなわち、例えば１回目のスィープ処理でのレーザ光のパワーに対し、２回目のスィープ処理でのレーザ光のパワーを強くすることにより、情報記録面の記録状態への影響を低減することができる。このことは、実施例３の構成においても同様に適用が可能である。
【００５０】
但し、本実施例のように球面収差補正量がある層とある層の間に設定するようにしている場合は、レーザパワーが最も低い情報記録面のレーザパワーよりやや強めにして判別処理を行ってもよい。それは、球面収差補正量がずれている分焦点がぼやけており、記録状態への影響は少ないと考えられるためである。
【００５１】
本実施例は、実施例１の図９に示すフローチャートの動作の別例として示したが、実施例２の図１４に示すフローチャートに対しても同様の動作をさせることができる。
【００５２】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。
【符号の説明】
【００５３】
１００…光ディスク、１０１…スピンドルモータ、１１０…光ピックアップ、１１１…レーザ光源、１１２…アクチュエータ、１１３…対物レンズ、１１４…光検出器、１１５…球面収差補正素子、１２０…システム制御手段、１２１…スピンドルモータ駆動手段、１２２…信号生成手段、１２３…アクチュエータ駆動手段、１２４…球面収差補正素子駆動手段、１２５…レーザ駆動手段
【図１】
2011248978.tif 000003
【図２】
2011248978.tif 000004
【図３】
2011248978.tif 000005
【図４】
2011248978.tif 000006
【図５】
2011248978.tif 000007
【図６】
2011248978.tif 000008
【図７】
2011248978.tif 000009
【図８】
2011248978.tif 000010
【図９】
2011248978.tif 000011
【図１０】
2011248978.tif 000012
【図１１】
2011248978.tif 000013
【図１２】
2011248978.tif 000014
【図１３】
2011248978.tif 000015
【図１４】
2011248978.tif 000016
【図１５】
2011248978.tif 000017
【図１６】
2011248978.tif 000018